(57)【特許請求の範囲】
【請求項１】
本文中身の用紙を所定枚数重ねて形成された冊子の背面に接着材を塗布する工程と、前記接着材を塗布した冊子の背面部に、表面に接着材層を形成した補強シ−トを該冊子の背面部を包むように貼着する工程と、表面に接着材層を形成した表側見返し用シートの反面を前記冊子の表側用紙に、表面に接着材層を形成した裏側見返し用シートの反面を前記冊子の裏側用紙にそれぞれ表面に形成した接着剤で貼着する工程と、前記表側見返し用シートの他の反面を表紙の内側面に形成した接着材層に貼り付けた背ボ−ル紙にまたがって表側表紙ボ−ル紙に、前記裏側見返し用シートの他の反面を表紙の内側面に形成した接着材層に貼り付けた背ボ−ル紙にまたがって裏側表紙ボ−ル紙にそれぞれ見返し用シートの表面に形成した接着剤で貼着する工程とからなることを特徴とする製本処理方法。
【発明の詳細な説明】
【０００１】
【発明の属する技術分野】
本発明は、冊子の背面処理や、冊子と表紙との貼り合わせが簡単に行なえる製本処理方法に関するものである。
【０００２】
【従来の技術】
記念誌や同人誌等の少量の書籍を製本する際に、機械製本にするとコストが高くなるので、手作業による製本処理がなされている。この手作業による製本処理は、所定頁数である本文中身の用紙の背面を接着材で固めることにより冊子を形成し、この冊子に表紙を取り付けるものである。本文中身の用紙よりも厚地の表紙で装幀して堅牢な仕上げとする製本は、上製本といわれている。上製本は、冊子の背面に糸がかりの処理を施すものであるが、この糸がかりの処理を省略した簡易上製本も知られている。
【０００３】
前記冊子の背面処理は、紙工用水性ボンドまたはニカワ等の接着材を用いて本文中身の用紙の背面に塗布して、背固めをする。次に、用紙の背が膨らまないように重しを載置したり、締め機で締めたままで乾燥させる。続いて、寒冷紗という補強紙を糊により用紙の背面に接着する。
【０００４】
また、簡易上製本用表紙に、裏側表紙ボ−ル紙、背ボ−ル紙、表側表紙ボ−ル紙を貼着して簡易上製本の表紙を形成する。各ボ−ル紙は厚板紙を用いる。このような簡易上製本用表紙に前記冊子を貼り付けると、簡易上製本が得られる。
【０００５】
【発明が解決しようとする課題】
前記冊子を形成する際には、補強紙の糊付け処理を行なうので糊が乾燥するまでに時間を要し、迅速な処理ができないという問題があった。また、塗布する糊の量の調整等、作業に熟練を要し、簡単には冊子の背面処理ができないという問題があった。
【０００６】
また、背ボ−ル紙、裏側および表側表紙ボ−ル紙を簡易上製本用表紙に貼着して、しわがないように美麗に仕上げるためには、特製の紙工ボンドやニカワ等の接着材を用いて貼着処理を行なっているが、このような処理も経験を積んだ熟練者でなければ対応することができないという問題があった。更に、前記冊子と表紙を接着材で貼り付ける処理についても、位置合わせや接着材の塗布量の調整等に経験を要し、製本処理が簡単に行なえないという問題があった。
【０００７】
本発明は、このような問題に鑑みてなされたものであり、冊子の背面処理や、冊子と表紙との貼り合わせが簡単に行なえる製本処理方法の提供を目的とするものである。
【０００８】
【課題を解決するための手段】
本発明は、本文中身の用紙を所定枚数重ねて形成された冊子の背面に接着材を塗布する工程と、前記接着材を塗布した冊子の背面部に、表面に接着材層を形成した補強シ−トを該冊子の背面部を包むように貼着する工程と、表面に接着材層を形成した表側見返し用シートの反面を前記冊子の表側用紙に、表面に接着材層を形成した裏側見返し用シートの反面を前記冊子の裏側用紙にそれぞれ表面に形成した接着剤で貼着する工程と、前記表側見返し用シートの他の反面を表紙の内側面に形成した接着材層に貼り付けた背ボ−ル紙にまたがって表側表紙ボ−ル紙に、前記裏側見返し用シートの他の反面を表紙の内側面に形成した接着材層に貼り付けた背ボ−ル紙にまたがって裏側表紙ボ−ル紙にそれぞれ見返し用シートの表面に形成した接着剤で貼着する工程とからなることを特徴とする。
【００１０】
請求項１に係る発明の上記特徴によれば、接着材層を形成した剥離紙を貼り付けている補強シ−トから、剥離紙を剥離して接着材層を露出させて、中央部を背面に接着材を塗布した冊子の背面と圧着している。このような処理を行なうことにより、冊子の背面に補強シ−トを簡単にしかも堅固に圧着させることができる。また、従来のように補強シ−トを冊子に貼着するための糊付け処理は不要であるので、処理時間を短縮することができる。
【００１１】
また、補強シ−トを冊子の背面に連なる表側と裏側の用紙の端面に添わせて締め板により締め付けているので、接着材が冊子の側面に流出して製本の仕上がりが不良となることを防止する。更に、剥離紙を剥離した補強シ−トの両側を冊子の背面に連なる表側と裏側の用紙に貼着しているので、冊子の背面近傍の補強を効果的に行なえる。
【００１２】
さらに、簡易上製本用表紙の内側面に形成した接着材層に貼り付けた剥離紙を剥離して接着材層を露出させ、表側表紙ボ−ル紙、背ボ−ル紙、裏側表紙ボ−ル紙を貼着している。このため、簡単に、しかも美麗に簡易上製本用表紙を作成することができる。また、当該簡易上製本用表紙と背面に補強シ−トを貼着した冊子を、剥離紙を剥離して接着材層を露出させた見返し用シ−トで貼着している。このため、熟練を要することなく簡単に製本処理を行なうことができる。
【００１３】
【発明の実施の形態】
以下、本発明に係る製本方法の実施の形態について図を参照して説明する。図２〜図５は、本発明の製本用部材を示すものである。図２は、冊子の背面に貼着される補強シ−トの平面図である。補強シ−ト２は、内面に接着材層を形成し、中央部とその両側の三区分された剥離紙（タック紙）Ｑａ、Ｑｂ、Ｑｃを接着材層に貼着している。各剥離紙を剥離して接着材層を露出させ、冊子の所定の個所に貼着する。なお、剥離紙を三区分せずに補強シ−ト２の内面全体に貼着する構成とすることもできる。
【００１４】
図３は、花ぎれといわれる装飾用の部材を示すものであり、（ａ）は正面図、（ｂ）は平面図、（ｃ）は使用時の側面図である。図３において、花ぎれ９は、合成樹脂製のテ−プＳｃの一側縁に補強心材Ｓｂを添わせ、当該一側縁を折り返して裏面に貼りあわせる。Ｓａは両面接着テ−プのような接着材である。適宜の長さで切断し、両面接着テ−プＳａを剥がして（ｃ）のように接着材の面９ａを露出させ、二つ折りにして使用する。
【００１５】
図４は、簡易上製本用表紙の一例を示す平面図である。図４において、４は内側面に接着材を塗布して接着材層を形成し、この接着材層に剥離紙（タック紙）を貼付ておき、剥離紙を剥離すると接着材層が露出する構成の簡易上製本用表紙である。
【００１６】
ａｂｃｄで矩形状に囲まれた部分Ｐａは、表側表紙ボ−ル紙を貼着する部分の剥離紙、ａｂｓｔで矩形状に囲まれた部分Ｐｂは、背ボ−ル紙と、裏側表紙ボ−ル紙を貼着する部分の剥離紙であり、線Ｌａの位置で剥離紙Ｐａと分離されている。
【００１７】
また、Ｐｃ、Ｐｄ、Ｐｅは、前記剥離紙Ｐａとは分離されて形成されている剥離紙である。剥離紙Ｐａの上縁部に隣接して剥離紙Ｐｃを配置し、剥離紙Ｐａの側縁部に隣接して剥離紙Ｐｅを配置し、剥離紙Ｐａの下縁部に隣接して剥離紙Ｐｄを配置している。すなわち、剥離紙Ｐａの三方に隣接して剥離紙Ｐｃ、Ｐｄ、Ｐｅが配置されている。剥離紙ＰｃとＰｅが隣接する角部Ｃａは斜めにカットされている。同様に剥離紙ＰｄとＰｅが隣接する角部Ｃｂも斜めにカットされている。
【００１８】
Ｐｆは、前記剥離紙Ｐｂと分離されていると共に、線ａｅで剥離紙Ｐｃと分離されて形成されている剥離紙、Ｐｇは、前記剥離紙Ｐｂと分離されていると共に、線ｂｆで剥離紙Ｐｄと分離されて形成されている剥離紙である。このように、剥離紙Ｐｆは剥離紙Ｐｂの上縁部に隣接して配置され、剥離紙Ｐｇは剥離紙Ｐｂの下縁部に隣接して配置される。
【００１９】
剥離紙Ｐｆ、Ｐｇには、それぞれ目盛が印刷されている。この目盛は、線Ｌｂの両端であるｕｖの位置を起点にして形成されている。線Ｌｂは「背ボ−ル基準線」であることの表示が剥離紙Ｐｂに記入されている。
【００２０】
図５は、見返し用シ−トの平面図である。図５において、見返し用シ−ト３は、内側面に接着材を塗布して接着材層を形成し、この接着材層に三区分された剥離紙（タック紙）Ｒａ、Ｒｂ、Ｒｃを貼付ておき、剥離紙を剥離すると接着材層が露出する構成としている。Ｔａは見返し用シ−ト３の中心線で剥離紙ＲｂとＲｃを分離する。Ｔｂは剥離紙ＲｂとＲａを分離する線である。すなわち、剥離紙Ｒｃは剥離紙Ｒｂよりも大きく形成されている。
【００２１】
以下、本発明による製本処理方法について、図６〜図１４により説明する。図６は、冊子１を立てた状態を示す正面図である。背面には接着材、例えばホットメルト８を塗布して背固めされている。１ａは、冊子１の表側用紙、１ｂは冊子１の裏側用紙である。
【００２２】
図７は、図６の冊子１に補強シ−ト２を貼着する状態を示す正面図である。この補強シ−ト２の貼着処理につき、図８の正面図で説明する。図８において、２１は底板、２２、２３は締め板である。各締め板２２、２３の凹所に補強シ−ト２を載置する。この際に、図２で説明した補強シ−ト２の中央部の剥離紙Ｑｂを剥離し、両側の剥離紙Ｑａ、Ｑｃは残存させておく。
【００２３】
背面にホットメルト８を塗布した冊子１を、矢視Ｘ方向から接近させてホットメルト８と補強シ−ト２とを接触させ、底板２１上で圧着する。また、補強シ−ト２を冊子の背面に連なる表側用紙１ａの端面８ａと、裏側用紙１ｂの端面８ｂに添わせて、締め板２２、２３により締め付けホットメルトを乾燥させる。ホットメルトの乾燥後に冊子１を締め板から外し、補強シ−ト２の両側の剥離紙Ｑａ、Ｑｃを剥離して、２ａ、２ｂの部分を、冊子の背面に連なる表側用紙１ａ、裏側用紙１ｂと貼着する。
【００２４】
このような処理を行なうことにより、冊子１の背面に補強シ−ト２を簡単にしかも堅固に圧着させることができる。また、従来のように補強シ−ト２を冊子１に貼着するための糊付け処理は不要であるので、処理時間を短縮することができる。
【００２５】
また、補強シ−ト２を冊子の背面に連なる表側用紙１ａの端面８ａと、裏側用紙１ｂの端面８ｂに添わせて、締め板２２、２３により締め付けてホットメルトを乾燥させているので、ホットメルトが冊子の側面に流出して製本の仕上がりが不良となることを防止する。更に、補強シ−ト２の両側の剥離紙Ｑａ、Ｑｃを剥離して、冊子の背面に連なる表側用紙１ａ、裏側用紙１ｂの端面８ａ、８ｂと貼着しているので、補強効果が増大する。なお、剥離紙が三区分されていない補強シ−トを用いる場合には、剥離紙を補強シ−ト２から剥離し、最初に中央部を冊子の背面と圧着させ、その後、両側側部を冊子の背面に連なる表側用紙１ａ、裏側用紙１ｂの端面８ａ、８ｂと貼着する。
【００２６】
図９は、簡易上製本用表紙４に表側表紙ボ−ル紙５、裏側表紙ボ−ル紙６、背ボ−ル紙７を貼着する例を示す正面図である。簡易上製本用表紙４の作成につき、図１０、図１１により説明する。
【００２７】
図４で説明した剥離紙Ｐａを剥離し、Ｌａ線に側縁部を揃えて表側表紙ボ−ル紙５を貼着する。次に、剥離紙Ｐｂを剥離する。Ｌａ線とＬｂ線との間には、背ボ−ルと表紙ボ−ル紙間に空きミゾを形成するために所定の間隔が形成されている。Ｌｂ線の位置、すなわち、目盛０の位置を基準として側縁部を揃えた背ボ−ル紙７を貼着する。背ボ−ル紙７は、製本する冊子の厚みに合わせて予め所定寸法の幅で切断されており、この幅寸法は簡易上製本用表紙４に貼着されると当該目盛で読み取ることができる。
【００２８】
また、裏側表紙ボ−ル紙６を簡易上製本用表紙４に貼着する。この際に、背ボ−ル紙７の側縁部Ｌｂ’と、裏側表紙ボ−ル紙６の側縁部Ｌｃ間の間隔は、前記背ボ−ル紙７の基準側側縁部Ｌｂと表側表紙ボ−ル紙５の側縁部間の間隔と等しく設定する。
【００２９】
このように、裏側表紙ボ−ル紙５を簡易上製本用表紙４に貼着するための側縁部の位置合わせが必要となる。本発明においては、剥離紙Ｐｆ、Ｐｇには、目盛が印刷されているので、裏側表紙ボ−ル紙５の側縁部Ｌｃの位置を容易に設定することができる。
【００３０】
図１０の状態で、簡易上製本用表紙４の図示左端側側縁部から所定の長さの位置Ｌｄの線で、簡易上製本用表紙４を切断する。また、角部Ｃｃ、Ｃｄを斜めにカットする。この際に、角部Ｃｃ、Ｃｄは、角部Ｃａ、Ｃｂと同じ大きさとなるようにカットする。Ｐｈの部分には接着材層が露出している。
【００３１】
このようにして、表側表紙ボ−ル紙５、背ボ−ル紙７、裏側表紙ボ−ル紙６を、簡易上製本用表紙４の内面に貼着した状態が得られる。次に、簡易上製本用表紙４の外周に残存している剥離紙Ｐｃ、Ｐｄ、Ｐｅ、Ｐｆ、Ｐｇをすべて剥離する。すなわち、簡易上製本用表紙４の内面に貼着された表側表紙ボ−ル紙５、背ボ−ル紙７、裏側表紙ボ−ル紙６の周囲に接着材層を枠状に露出させる。
【００３２】
この状態で、簡易上製本用表紙４の上部枠状接着材層を内側に折り込んで、表側表紙ボ−ル紙５、背ボ−ル紙７、裏側表紙ボ−ル紙６の上部を貼着する。同様に簡易上製本用表紙４の下部枠状接着材層、左右の枠状接着材層をそれぞれ内側に折り込んで、表側ボ−ル紙２、背ボ−ル紙３、裏側ボ−ル紙４の下部を貼着する。
【００３３】
簡易上製本用表紙４の四隅には角部Ｃａ〜Ｃｄが形成されている。このため、図１１に示すように、表側表紙ボ−ル紙５、背ボ−ル紙７、裏側表紙ボ−ル紙６の周囲には、内側に折り込まれた上製本用表紙１のＰｘ、Ｐｙ、Ｐｚ、Ｐｗの部分により、額縁状周縁部が形成されている。
【００３４】
本発明においては、図４に示すように簡易上製本用表紙４の一面に接着材層を形成し、Ｐａ〜Ｐｇで区画された剥離紙を貼付ている。そして、当該剥離紙を剥離して接着材層を露出させ、基準線や目盛に合わせて、表側表紙ボ−ル紙５、背ボ−ル紙７、裏側表紙ボ−ル紙６を載置して貼着している。このため、簡単に、しかも美麗に表側表紙ボ−ル紙５、背ボ−ル紙７、裏側表紙ボ−ル紙６を簡易上製本用表紙４に貼着することができる。
【００３５】
図１２は、補強シ−ト２を背面に貼着した冊子１に、表側見返し用シ−ト３ａ、裏側見返し用シ−ト３ｂを貼着する状態を示す正面図である。表側見返し用シ−ト３ａの処理の例で説明する。図１２において、図５で説明した大きい方の剥離紙Ｒｃを剥離し、中央部の剥離紙Ｒｂと小さい方の剥離紙Ｒａを残存させておく。
【００３６】
表側見返し用シ−ト３ａの剥離紙Ｒｃを剥離して接着材層を露出し、冊子１の表側用紙１ａを貼着する。また、裏側見返し用シ−ト３ｂも同様に剥離紙Ｒｃを剥離して接着材層を露出し、冊子１の裏側用紙１ｂを貼着する。
【００３７】
図１３は、図１２のように表側見返し用シ−ト３ａと裏側見返し用シ−ト３ｂを貼着した冊子１に、図１１で説明したようにして作成された簡易上製本用表紙４を貼着する状態を示す正面図である。
【００３８】
図１３において、表側見返し用シ−ト３ａの中央部の剥離紙Ｒｂを剥離して接着材層を露出させ、上製本用表紙４に貼着されている表側表紙ボ−ル紙５と背ボ−ル紙７間に露出している接着剤層と接合する。次に、小さい方の剥離紙Ｒａを剥離して接着材層を露出させ、表側表紙ボ−ル紙５を貼着する。裏側見返し用シ−ト３ｂについても、同様に剥離紙Ｒｃ、Ｒａを剥離して前記所定位置に貼着する。
【００３９】
図１４は、前記のように、冊子１に貼着した表側見返し用シ−ト３ａと、裏側見返し用シ−ト３ｂを、簡易上製本用表紙４の所定位置に貼着した後の状態を示す正面図であり、図１は図１４のＡ部の拡大図である。
【００４０】
図１に示すように、冊子１の背面はホットメルト８で固着され、表側用紙１ａおよび裏側用紙１ｂと貼着されている補強シ−ト２で補強されている。また、補強シ−ト２の両側側部の他面は、表側見返し用シ−ト３ａと、裏側見返し用シ−ト３ｂで覆われている。このため、冊子１の背面と、背面に連なる両側側面は、強固に製本されることになる。
【００４１】
更に、表側表紙ボ−ル紙５、背ボ−ル紙７、裏側表紙ボ−ル紙６を貼着した簡易上製本用表紙４は、接着材層が形成されている表側見返し用シ−ト３ａと、裏側見返し用シ−ト３ｂで冊子１と貼着されることにより連結されるので、処理が簡単で、仕上がりが美麗になる。なお、４ａ、４ｂは、表紙の表側と裏側に形成されるミゾである。
【００４２】
このようにして製本された書籍の背面上部と下部を装飾するために、図３で説明した花ぎれが使用される。図１５は、花ぎれを使用した場合の前記Ａ部の拡大図である。図３の（ｃ）で示したように接着材の面９ａを露出させ、二つ折りにした花ぎれ９を、背ボ−ル紙７と補強シ−ト２の間に挾み接着材で接着する。
【００４３】
【発明の効果】
以上、詳述したように、請求項１に係る発明の上記特徴によれば、接着材層を形成した剥離紙を貼り付けている補強シ−トから、剥離紙を剥離して接着材層を露出させて、中央部を背面に接着材を塗布した冊子の背面と圧着している。このような処理を行なうことにより、冊子の背面に補強シ−トを簡単にしかも堅固に圧着させることができる。また、従来のように補強シ−トを冊子に貼着するための糊付け処理は不要であるので、処理時間を短縮することができる。
【００４４】
また、補強シ−トを冊子の背面に連なる表側と裏側の用紙の端面に添わせて締め板により締め付けているので、接着材が冊子の側面に流出して製本の仕上がりが不良となることを防止する。更に、剥離紙を剥離した補強シ−トの両側を冊子の背面に連なる表側と裏側の用紙に貼着しているので、冊子の背面近傍の補強を効果的に行なえる。
【００４５】
さらに、上記特徴によれば、簡易上製本用表紙の内側面に形成した接着材層に貼り付けた剥離紙を剥離して接着材層を露出させ、表側表紙ボ−ル紙、背ボ−ル紙、裏側表紙ボ−ル紙を貼着している。このため、簡単に、しかも美麗に簡易上製本用表紙を作成することができる。また、当該簡易上製本用表紙と背面に補強シ−トを貼着した冊子を、剥離紙を剥離して接着材層を露出させた見返し用シ−トで貼着している。このため、熟練を要することなく簡単に製本処理を行なうことができる。
【図面の簡単な説明】
【図１】本発明の実施の形態に係る製本処理された簡易上製本を部分的に拡大した平面図である。
【図２】補強シ−トの平面図である。
【図３】花ぎれを示す図であり、（ａ）は正面図、（ｂ）は平面図、（ｃ）は側面図である。
【図４】簡易上製本用表紙の平面図である。
【図５】見返し用シ−トの平面図である。
【図６】冊子を立てた状態を示す正面図である。
【図７】図６の冊子に補強シ−トを貼着する状態を示す正面図である。
【図８】補強シ−トの貼着処理を示す正面図である。
【図９】簡易上製本用表紙に表側表紙ボ−ル紙、裏側表紙ボ−ル紙、背ボ−ル紙を貼着する例を示す正面図である。
【図１０】図４の簡易上製本用表紙に表側表紙ボ−ル紙、裏側表紙ボ−ル紙、背ボ−ル紙を貼り付けた状態を示す平面図である。
【図１１】簡易上製本用表紙の仕上がり状態を示す平面図である。
【図１２】補強シ−トを背面に貼着した冊子に、表側見返し用シ−トと裏側見返し用シ−トを貼着する状態を示す正面図である。
【図１３】図１２の冊子に簡易上製本用表紙を貼着する状態を示す正面図である。
【図１４】製本を終了した状態を示す正面図である。
【図１５】別の実施の形態に係る製本処理による簡易上製本を部分的に拡大した平面図である。
【符号の説明】
１  冊子
２  補強シ−ト
３  見返し用シ−ト
４  簡易上製本用表紙
５  表側表紙ボ−ル紙
６  裏側表紙ボール紙
７  背ボ−ル紙
８  ホットメルト
９  花ぎれ
【図１】
0004311867.tif 000002
【図２】
0004311867.tif 000003
【図３】
0004311867.tif 000004
【図４】
0004311867.tif 000005
【図５】
0004311867.tif 000006
【図６】
0004311867.tif 000007
【図７】
0004311867.tif 000008
【図８】
0004311867.tif 000009
【図９】
0004311867.tif 000010
【図１０】
0004311867.tif 000011
【図１１】
0004311867.tif 000012
【図１２】
0004311867.tif 000013
【図１３】
0004311867.tif 000014
【図１４】
0004311867.tif 000015
【図１５】
0004311867.tif 000016